(57)【要約】【課題】居室の壁体内の遊びの空間を有効利用することにより、居室の壁面の操作パネル用の取付用開口部の面積をほとんど変更する必要がなく、しかも居室の壁内空間を有効に利用できるようにした床暖房用コントローラを提供しようとするものである。【解決手段】この考案の床暖房用コントローラは、前面に操作パネルを備えたコントローラ本体に、該コントローラ本体とは別筺体の外付け部品箱を居室の壁内空間に設置するとともに、該外付け部品箱内に前記コントローラ本体内に収納しなくてもよい部品を収納し、かつ前記コントローラ本体と外付け部品箱とを信号線や電源線等を介して接続することにより、居室の壁面に設けた取付用開口部に前記コントローラ本体を取り付けた上、前記取付用開口部から切り離して外付け部品箱を設置することを可能とし、前記居室の壁内空間を有効に利用できるようにしたことを特徴とする。【選択図】図１
0003147046.tif 000002
【実用新案登録請求の範囲】
【請求項１】
前面に操作パネルを備えたコントローラ本体に、該コントローラ本体とは別筺体の外付け部品箱を居室の壁内空間に設置するとともに、該外付け部品箱内に前記コントローラ本体内に収納しなくてもよい部品を収納し、かつ前記コントローラ本体と外付け部品箱とを信号線や電源線等を介して接続することにより、居室の壁面に設けた取付用開口部に前記コントローラ本体を取り付けた上、前記取付用開口部から切り離して外付け部品箱を設置することを可能とし、前記居室の壁内空間を有効に利用できるようにしたことを特徴とする床暖房用コントローラ。
【請求項２】
前記コントローラ本体とは別筺体の外付け部品箱を、ワイヤやチェーン類の可撓性のある紐体でコントローラ本体に吊下げたことを特徴とする請求項１に記載の床暖房用コントローラ。
【請求項３】
前記居室の壁面に設けた取付用開口部が、操作パネルに相当する面積のみで構成されていることを特徴とする請求項１に記載の床暖房用コントローラ。
【考案の詳細な説明】
【技術分野】
【０００１】
この考案は床暖房用コントローラに関し、特に、居室の取付位置の壁体の内部に吊下型外付け部品箱を有する床暖房用コントローラとすることにより、居室の壁内を有効利用することを可能とした床暖房用コントローラである。
【背景技術】
【０００２】
一般に、床暖房用コントローラを取り付ける場合、通常居室の壁面に取付用開口部を開けて、この部分にコントローラ本体を各種方法で取り付けている。
近年、顧客の要求が多岐に渡るようになり、これらの機能アップのためにはソフトウエアのみならず各種のハードウエアを搭載する必要が生じている。また、これらの要求に対応するため高密度で部品を多層板に実装する必要があり、一体型で完結するには、部品の熱ストレスの問題を解消する必要があるが、これらは現状のＪＩＳ３口サイズからは意匠的問題のために難しい側面が見られた。
そのため従来、床暖房用コントローラをセパレート型にして、コントローラ本体と外付け部品箱を別々に設置していたが、この場合工事が２箇所必要になってしまったり、工事が大掛かりになり、設置場所によってはメンテナンス等において必ずしも理想状態とはかけ離れている場合等の問題が見受けられた。
【０００３】
また、前記外付け部品箱は、一般的には、コントローラ本体からは分離され、近くの壁や床下等、特に巾木付近に新たに設置されていたが、不要な設置箱が表面に露出し、意匠的に見栄えが悪かった。
また床下等の見えない部分に設置した場合は、メンテナンスに際して苦労が避けられず、施工性やメンテナンスの面からは非常に不評であり、床暖房用コントローラの近傍に取り付けることが望まれていた。
また、従来の床暖房用コントローラは、居室の取付位置の壁体の内部は単に電線の通り道にすぎず、遊びの空間があるにもかかわらず、ほとんど有効活用されることはなかったのが実情である。
【０００４】
例えば、特開２００１−６５８９４公報（特許文献１参照）には、コントローラが各部品用の箱体と一見別体に構成されているように見えるものが提案されているが、電気床暖房具の側端部に設けられているコントローラを接続するプラグケースの改良に係るものであって、床暖房用コントローラの改良に関するものではない。
【特許文献１】特開２００１−６５８９４公報
【考案の開示】
【考案が解決しようとする課題】
【０００５】
近年、ユーザから要望される各種の機能を床暖房用コントローラに追加し、バージョンアップを行う際、または部品の熱ストレスを解消するために、コントローラ本体内部のみでの構築が一部の製品では難しく外付け部品箱が必要になってきているが、このような外付け部品箱を居室の壁面の操作パネル用の取付用開口部に近接して設置することは、居室内の美観を損ねたり、居室内に突起物が発生するという問題があった。
【０００６】
そこで、この考案の床暖房用コントローラは、居室の壁体内の遊びの空間を有効利用することにより、居室の壁面の操作パネル用の取付用開口部の面積をほとんど変更する必要がなく、しかも居室の壁内空間を有効に利用できるようにした床暖房用コントローラを提供しようとするものである。
【課題を解決するための手段】
【０００７】
以上の課題を解決するために、この考案の床暖房用コントローラは、前面に操作パネルを備えたコントローラ本体に、該コントローラ本体とは別筺体の外付け部品箱を居室の壁内空間に設置するとともに、該外付け部品箱内に前記コントローラ本体内に収納しなくてもよい部品を収納し、かつ前記コントローラ本体と外付け部品箱とを信号線や電源線等を介して接続することにより、居室の壁面に設けた取付用開口部に前記コントローラ本体を取り付けた上、前記取付用開口部から切り離して外付け部品箱を設置することを可能とし、前記居室の壁内空間を有効に利用できるようにしたことを特徴とするものである。
【０００８】
この考案の床暖房用コントローラは、前記コントローラ本体とは別筺体の外付け部品箱を、ワイヤやチェーン類の可撓性のある紐体でコントローラ本体に吊下げたことをも特徴とするものである。
【０００９】
この考案の床暖房用コントローラは、前記居室の壁面に設けた取付用開口部が、操作パネルに相当する面積のみで構成されていることをも特徴とするものである。
【考案の効果】
【００１０】
この考案は以上のように構成したので、床暖房用コントローラのコントローラ本体が非常にコンパクトに構成でき、かつ、有効利用されていない居室の壁内の遊んでいる空間の新たな活用が見出された。他方、操作パネルを備えたコントローラ本体の意匠は今までと全く変わることがない。
【００１１】
また、技術的な改良やユーザの要望等への対策の面においても、外付け部品箱の大きさを変えるだけで対応でき、生産性の向上にも期待できる。
さらに、従来の床暖房用コントローラに外付け部品箱を追加する改良工事等の面でも、従来の取付用開口部から外付け部品箱を吊下するだけであるので、現場における特別な追加工事等も必要がなく、経済性にも優れる。
【考案を実施するための最良の形態】
【００１２】
以下、この考案に係る床暖房用コントローラの実施の形態を、図面に基いて詳細に説明する。
図１はこの考案の床暖房用コントローラの１実施例を示す概略正面図である。
【００１３】
図１に示すようにこの実施例に係る床暖房用コントローラは、前面に操作パネル１２を備えた金属製やプラスチック製のハウジングを有するコントローラ本体１１を備えており、このコントローラ本体１１はその内部に、例えば電気配線基板上に各種の電子部品を搭載した電子機器類を備え、基本的な床暖房機器の制御を行なうことができるようにしたものである。
前記操作パネル１２は液晶パネルやプラズマパネル、有機ＥＬパネル等を用いたタッチパネル式のものが望ましく、例えば画面にタッチするだけで簡単に操作することができるようになっている。
【００１４】
次に、前記コントローラ本体１１とは別筺体の外付け部品箱１３が、前記コントローラ本体１１にワイヤやチェーン類の可撓性のある一対の紐体１４を介して吊り下げられている。この、吊下げ用の紐体１４としては金属製または耐熱樹脂性プラスチック製を用いることが望ましい。
他方、前記コントローラ本体１１は居室の壁面に設けた操作パネルに相当する面積のみからなる取付用開口部（図示せず）に設置されており、前記外付け部品箱１３は取付用開口部を通して居室の壁内空間に設置されている。
【００１５】
該外付け部品箱１３内には前記コントローラ本体１１内に収納しなくてもよい各種の部品類を収納してあり、かつ前記コントローラ本体１１と外付け部品箱１３とは信号線や電源線等１５を介して接続してある。
したがって、居室の壁面に設けた取付用開口部に前記コントローラ本体１１を取り付けた上、前記取付用開口部から切り離して外付け部品箱１３を設置することが可能となり、前記居室の壁内空間を有効に利用できるようになっている。
【００１６】
以上のようにこの実施例においては、前記コントローラ本体１１の下部からワイヤやチェーン類からなる紐体１４で外付け部品箱１３が吊下され、該外付け部品箱１３に前記コントローラ本体１１に収容しきれない部品が入っている構成である。
図１に示すように、前記コントローラ本体１１と外付け部品箱１３には、前記信号線や電源線等１５のみならず２次側配線１６も接続されている。
ただし、収納する部品の種類により外付け部品箱１３内の配線は変化するので、前記２次側配線１６の本数、前記コントローラ本体１１と外付け部品箱１３間の信号線の本数、電源線の本数は限定されるものではない。
【００１７】
前記外付け部品箱１３は、放熱板としての併用も考えると耐熱性樹脂等からなるプラスチック製の箱体のみならず、金属製の箱体を使用することも可能である。
前記外付け部品箱１３の大きさは、取付用開口部より出入れ（メンテナンス時は取り出すことがあり得る）するので、基本的には前記取付用開口部の面積より小さい筺体であることが望ましい。
【００１８】
［実施形態の効果］
前記実施例によれば、今まで有効活用されていなかった居室の壁内空間を利用でき、１台のコントローラ本体内に入りきらない部品を外付け部品箱に搭載することで、床暖房用コントローラの機能も無理なく拡張することができる。
一方、ユーザから見た場合の床暖房用コントローラの露出面積が従来と何ら変わらないため、意匠的には従来と全く変わらず、ユーザに対して設置に際して違和感を与えることがない。
【産業上の利用可能性】
【００１９】
現在、上市されている床暖房用コントローラは、一体型（本体の筺体で完結するもの）とセパレート型（本体と拡張部分が完全に分離）に分かれ、スペース利用の点で一長一短があった。今回の考案は、本体直近の壁内に外付け部品箱を吊下げることで、設置やメンテナンスも楽であり、大掛かりな工事をしなくても、通常の取付用開口部を開けるだけで対応できるため、通常の工事と何ら変更はなく、非常に有効である。
【００２０】
この構造では、基本的には操作パネルとコントローラ本体内に収納しきれない部品を外付け部品箱に収納するようにして、分離構造（セパレート構造）としたものであるが、とくに住宅や事務所等の居室の壁内を有効利用できるようにしたセパレート構造のため、極端に言えば、操作パネルは机上、外付け部品箱は居室の壁内空間に配置するという構造も可能である。
【図面の簡単な説明】
【００２１】
【図１】この考案の床暖房用コントローラの１実施例を示す概略正面図である。
【符号の説明】
【００２２】
１１  コントローラ本体
１２  操作パネル
１３  外付け部品箱
１４  紐体
１５  信号線や電源線等
１６  ２次側配線
【図１】
0003147046.tif 000003